(57)【要約】【課題】携帯型通信装置への目的地情報の転送を行える「ナビゲーション装置及びコンピュータプログラム」を提供する。【解決手段】車載装置１のナビゲーションアプリケーション１１１は、目的地に到着するか、目的地近傍地点で駐車したときに、車載装置１に接続しているスマートフォン２に、目的地となっている施設の電話番号に発信させると共に、発信先に着信が発生する前に通信を切断させる。これにより、スマートフォン２において、目的地となっている施設の電話番号が発信履歴として保存される。【選択図】図１
2015125005.tif 000002
【特許請求の範囲】
【請求項１】
移動電話機能を備え当該移動電話機能による発信の履歴を保存する携帯型通信装置を接続可能な、自動車に搭載されたナビゲーション装置であって、
複数の施設の電話番号を登録した施設データと、
目的地までの経路を案内する案内手段と、
前記自動車が目的地または目的地近傍の地点に到着したときに、当該目的地が前記施設データに電話番号が登録されている施設である場合に、当該ナビゲーション装置に接続されている携帯型通信装置に、当該登録させている電話番号への発信を、当該発信の発信先に着信が発生しない形態で行わせる目的地情報転送手段とを有することを特徴とするナビゲーション装置。
【請求項２】
請求項１記載のナビゲーション装置であって、
前記自動車が目的地または目的地近傍の地点に到着したときに、当該目的地が前記施設データに電話番号が登録されている施設である場合に、前記目的地情報転送手段は、当該ナビゲーション装置に接続されている携帯型通信装置に、前記登録させている電話番号への発信を行わせると共に、当該発信を行わせた直後の当該発信の発信先に着信が発生する前のタイミングで、当該携帯型通信装置に通信の切断を行わせることを特徴とするナビゲーション装置。
【請求項３】
請求項１記載のナビゲーション装置であって、
前記自動車が目的地または目的地近傍の地点に到着したときに、当該目的地が前記施設データに電話番号が登録されている施設である場合に、前記目的地情報転送手段は、当該ナビゲーション装置に接続されている携帯型通信装置の動作モードを移動電話用の電波送信を抑止する動作モードに設定した上で、当該携帯型通信装置に前記登録させている電話番号への発信を行わせ、その後、当該携帯型通信装置の動作モードを移動電話用の電波送信を抑止しない動作モードに復帰することを特徴とするナビゲーション装置。
【請求項４】
メールまたはメッセージの送受信機能を備えた携帯型通信装置を接続可能な、自動車に搭載されたナビゲーション装置であって、
複数の施設について、当該施設の情報を登録した施設データと、
目的地までの経路を案内する案内手段と、
前記自動車が目的地または目的地近傍の地点に到着したときに、当該目的地が前記施設データに施設の情報が登録されている施設である場合に、当該ナビゲーション装置に接続されている携帯型通信装置に、当該登録させている施設の情報を記述したメールまたはメッセージを当該携帯型通信装置自身宛に送信させる目的地情報転送手段とを有することを特徴とするナビゲーション装置。
【請求項５】
メールまたはメッセージの送受信機能を備えた携帯型通信装置を接続可能な、自動車に搭載されたナビゲーション装置であって、
複数の施設について、当該施設の情報を登録した施設データと、
目的地までの経路を案内する案内手段と、
前記自動車が目的地または目的地近傍の地点に到着したときに、当該目的地が前記施設データに施設の情報が登録されている施設である場合に、当該ナビゲーション装置に接続されている携帯型通信装置に、当該登録させている施設の情報を記述したメールまたはメッセージを、当該携帯型通信装置が備えるメールまたはメッセージの一時保存領域に保存させる目的地情報転送手段とを有することを特徴とするナビゲーション装置。
【請求項６】
自動車に搭載される、移動電話機能を備え当該移動電話機能による発信の履歴を保存する携帯型通信装置を接続可能なコンピュータによって読み取られ実行させるコンピュータプログラムであって、
前記コンピュータを、
複数の施設の電話番号を登録した施設データを記憶した記憶部と、
目的地までの経路を案内する案内手段と、
前記自動車が目的地または目的地近傍の地点に到着したときに、当該目的地が前記施設データに電話番号が登録されている施設である場合に、当該ナビゲーション装置に接続されている携帯型通信装置に、当該登録させている電話番号への発信を、当該発信の発信先に着信が発生しない形態で行わせる目的地情報転送手段として機能させることを特徴とするコンピュータプログラム。
【請求項７】
自動車に搭載される、メールまたはメッセージの送受信機能を備えた携帯型通信装置を接続可能なンピュータによって読み取られ実行させるコンピュータプログラムであって、
前記コンピュータを、
複数の施設について、当該施設の情報を登録した施設データを記憶した記憶部と、
目的地までの経路を案内する案内手段と、
前記自動車が目的地または目的地近傍の地点に到着したときに、当該目的地が前記施設データに施設の情報が登録されている施設である場合に、当該ナビゲーション装置に接続されている携帯型通信装置に、当該登録させている施設の情報を記述したメールまたはメッセージを当該携帯型通信装置自身宛に送信させる目的地情報転送手段として機能させることを特徴とするコンピュータプログラム。
【請求項８】
自動車に搭載される、メールまたはメッセージの送受信機能を備えた携帯型通信装置を接続可能なンピュータによって読み取られ実行させるコンピュータプログラムであって、
前記コンピュータを、
複数の施設について、当該施設の情報を登録した施設データを記憶した記憶部と、
目的地までの経路を案内する案内手段と、
前記自動車が目的地または目的地近傍の地点に到着したときに、当該目的地が前記施設データに施設の情報が登録されている施設である場合に、当該ナビゲーション装置に接続されている携帯型通信装置に、当該登録させている施設の情報を記述したメールまたはメッセージを、当該携帯型通信装置が備えるメールまたはメッセージの一時保存領域に保存させる目的地情報転送手段とを有することを特徴とするコンピュータプログラム。
【発明の詳細な説明】
【技術分野】
【０００１】
本発明は、自動車に搭載されたナビゲーション装置において、携帯装置に目的地の情報を転送する技術に関するものである。
【背景技術】
【０００２】
自動車に搭載されたナビゲーション装置において、携帯装置に目的地の情報を転送する技術としては、ナビゲーション装置において、目的地に設定された施設の種別や名称や電話番号や周辺地図を目的地情報として当該ナビゲーション装置に接続されている携帯電話に転送する技術が知られている（たとえば、特許文献１）。
【先行技術文献】
【特許文献】
【０００３】
【特許文献１】特開２００４-２０２５７号公報
【発明の概要】
【発明が解決しようとする課題】
【０００４】
上述したナビゲーション装置において目的地情報を当該ナビゲーション装置に接続されている携帯電話に転送する技術によれば、ユーザは、目的地近くで自動車から降車した後も、携帯電話に転送された電話番号を利用して目的地に電話をかけたり、携帯電話に転送された周辺地図を利用して目的地に向かうことができる。
【０００５】
しかしながら、このような技術は、ナビゲーション装置から目的地情報の転送を受け付けて保存し、保存した目的地情報をユーザに利用可能とするといった、一般化されていない特段の機能を備えた携帯電話にしか適用することができず、一般的な携帯電話について適用することはできない。
【０００６】
そこで、本発明は、携帯電話などの携帯型通信装置への目的地情報の転送を、特段の機能を携帯型通信装置に備えることなく行えるナビゲーション装置を提供することを課題とする。
【課題を解決するための手段】
【０００７】
前記課題達成のために、本発明は、移動電話機能を備え当該移動電話機能による発信の履歴を保存する携帯型通信装置を接続可能な、自動車に搭載されたナビゲーション装置に、複数の施設の電話番号を登録した施設データと、目的地までの経路を案内する案内手段と、前記自動車が目的地または目的地近傍の地点に到着したときに、当該目的地が前記施設データに電話番号が登録されている施設である場合に、当該ナビゲーション装置に接続されている携帯型通信装置に、当該登録させている電話番号への発信を、当該発信の発信先に着信が発生しない形態で行わせる目的地情報転送手段とを設けたものである。
【０００８】
ここで、このようなナビゲーション装置は、前記自動車が目的地または目的地近傍の地点に到着したときに、当該目的地が前記施設データに電話番号が登録されている施設である場合に、前記目的地情報転送手段において、当該ナビゲーション装置に接続されている携帯型通信装置に、前記登録させている電話番号への発信を行わせると共に、当該発信を行わせた直後の当該発信の発信先に着信が発生する前のタイミングで、当該携帯型通信装置に通信の切断を行わせるように構成してもよい。
【０００９】
または、このようなナビゲーション装置は、前記自動車が目的地または目的地近傍の地点に到着したときに、当該目的地が前記施設データに電話番号が登録されている施設である場合に、前記目的地情報転送手段において、当該ナビゲーション装置に接続されている携帯型通信装置の動作モードを移動電話用の電波送信を抑止する動作モードに設定した上で、当該携帯型通信装置に前記登録させている電話番号への発信を行わせ、その後、当該携帯型通信装置の動作モードを移動電話用の電波送信を抑止しない動作モードに復帰するように構成してもよい。
【００１０】
これらのようなナビゲーション装置によれば、目的地または目的地の近傍地点到達したときに、携帯型通信装置は、目的地となっている施設の電話番号に、当該施設に着信が発生しない形態で発信する。したがって、この時点において、携帯型通信装置において、目的地となっている施設の電話番号を発信先とする発信履歴が登録され、結果的に、目的地となっている施設の電話番号が携帯型通信装置にナビゲーション装置から携帯型通信装置に転送されたこととなる。
【００１１】
そして、目的地または目的地近傍で自動車から携帯型通信装置を携帯して降車したユーザは、自動車外で発信履歴を参照することにより、目的地となっている施設の電話番号を知ることができるようになる。また、当該目的地となっている施設の電話番号への発信は、発信先に着信しない形態で行うので、当該目的地となっている施設に着信による不都合を与えることもない。
【００１２】
また、発信履歴を保持しユーザが発信履歴を参照可能とする機能は、移動電話機能を備えた携帯型通信装置であれば一般的に備えている機能であるので、以上のような目的地となっている施設の電話番号の携帯型通信装置への転送は、一般的な携帯型通信装置について適用することができる。
【００１３】
また、前記課題達成のために、本発明は、メールまたはメッセージの送受信機能を備えた携帯型通信装置を接続可能な、自動車に搭載されたナビゲーション装置に、複数の施設について、当該施設の情報を登録した施設データと、目的地までの経路を案内する案内手段と、前記自動車が目的地または目的地近傍の地点に到着したときに、当該目的地が前記施設データに施設の情報が登録されている施設である場合に、当該ナビゲーション装置に接続されている携帯型通信装置に、当該登録させている施設の情報を記述したメールまたはメッセージを当該携帯型通信装置自身宛に送信させる目的地情報転送手段とを備えたものである。
【００１４】
このようなナビゲーション装置によれば、目的地または目的地の近傍地点到達したときに、携帯型通信装置は、自身宛に目的地となっている施設の情報を記述したメールまたはメッセージを送信する。
よって、目的地または目的地近傍で自動車から携帯型通信装置を携帯して降車したユーザは、自動車外で携帯型通信装置で受信されるメールまたはメッセージを閲覧することにより、目的地となっている施設の情報を知ることができるようになる。
また、以上のような目的地となっている施設の電話番号の携帯型通信装置への転送は、メールまたはメッセージの送受信機能を備えた携帯型通信装置であれば、特段の機能を携帯型通信装置に付加することなく適用することができる。
また、前記課題達成のために、本発明は、メールまたはメッセージの送受信機能を備えた携帯型通信装置を接続可能な、自動車に搭載されたナビゲーション装置に、複数の施設について、当該施設の情報を登録した施設データと、目的地までの経路を案内する案内手段と、前記自動車が目的地または目的地近傍の地点に到着したときに、当該目的地が前記施設データに施設の情報が登録されている施設である場合に、当該ナビゲーション装置に接続されている携帯型通信装置に、当該登録させている施設の情報を記述したメールまたはメッセージを、当該携帯型通信装置が備えるメールまたはメッセージの一時保存領域に保存させる目的地情報転送手段とを備えたものである。
【００１５】
このようなナビゲーション装置によれば、目的地または目的地の近傍地点到達したときに、携帯型通信装置内のメールまたはメッセージの一時保存領域に、自身宛に目的地となっている施設の情報を記述したメールまたはメッセージを保存する。
よって、目的地または目的地近傍で自動車から携帯型通信装置を携帯して降車したユーザは、自動車外で携帯型通信装置内のメールまたはメッセージの一時保存領域に保存されているメールまたはメッセージを閲覧することにより、目的地となっている施設の情報を知ることができるようになる。
【００１６】
また、以上のような目的地となっている施設の電話番号の携帯型通信装置への転送は、メールまたはメッセージの一時保存領域への保存機能を備えた携帯型通信装置であれば、特段の機能を携帯型通信装置に付加することなく適用することができる。
【発明の効果】
【００１７】
以上のように、本発明によれば、携帯型通信装置への目的地情報の転送を、特段の機能を携帯型通信装置に備えることなく行えるナビゲーション装置を提供することができる。
【図面の簡単な説明】
【００１８】
【図１】本発明の実施形態に係る車載装置とスマートフォンの構成を示すブロック図である。
【図２】本発明の実施形態に係る車載装置とスマートフォンの記憶データを示す図である。
【図３】本発明の実施形態に係るナビゲーション画面を示す図である。
【図４】本発明の実施形態に係る目的地情報転送処理を示す例を示すフローチャートである。
【図５】本発明の実施形態に係るスマートフォンの発信履歴情報の表示画面を示す図である。
【発明を実施するための形態】
【００１９】
以下、本発明の実施形態について、携帯型通信装置がスマートフォンである場合を例にとり説明する。
図１に、本第１実施形態に係る車載装置とスマートフォンの構成を示す。
スマートフォン２は、ユーザによって携帯されるモバイル装置であり、図示するように、操作部２０１、ディスプレイ２０２、マイクやスピーカなどを備えた音声入出力部２０３、Bluetooth(登録商標)やWi-Fiなどの無線インタフェース２０４、スマートフォン２のＯＳであるところのモバイルオペレーティングシステム２０５、モバイルオペレーティングシステム２０５上で稼働するアプリケーションであるモバイルアプリケーション、記憶部２０６、移動電話網にアクセスするための移動通信装置２０７、その他の周辺デバイス２０８を備えている。
【００２０】
ここで、スマートフォン２は、モバイルアプリケーションとして、移動通信装置２０７や音声入出力部２０３や操作部２０１を用いた移動電話機能を提供する移動電話アプリケーション２１１と、電子メールの作成や送受信を行うメールアプリケーション２１２と、Ｗｅｂブラウザアプリケーションやマップアプリケーションやモバイル用ナビゲーションアプリケーションなどの、その他のアプリケーションとを備えている。
【００２１】
なお、スマートフォン２は、ハードウエア的には、ＣＰＵやメモリなどを備えたコンピュータを用いて構成されるものあり、モバイルオペレーティングシステム２０５や、モバイルアプリケーションなどは、当該コンピュータが、所定のコンピュータプログラムを実行することにより実現されるものである。
【００２２】
次に、車載装置１は、自動車に搭載される装置であり、図示するように、入力装置１０１、表示装置１０２、マイクやスピーカなどを備えた音声入出力装置１０３、Bluetooth(登録商標)やWi-Fiなどの外部インタフェース１０４、車載装置１のオペレーティングシステム１０５、オペレーティングシステム１０５上で稼働するアプリケーション、記憶装置１０６、ＧＰＳ受信機や自動車の各種状態を検出するセンサなどの、その他の周辺装置１０７とを備えている。
【００２３】
ここで、スマートフォン２と車載装置１は、近距離に位置するときには、無線インタフェース２０４と外部インタフェース１０４を介して相互に接続することができ、当該接続を介して、モバイルオペレーティングシステム２０５やオペレーティングシステム１０５の機能を利用しつつ、スマートフォン２のモバイルアプリケーションと車載装置１のアプリケーションは相互に通信を行うことができる。
【００２４】
さて、車載装置１は、上述したアプリケーションとして、ナビゲーションアプリケーション１１１と、ＨＦＴコントロールアプリケーション１１２と、メールコントロールアプリケーション１１３と、その他のアプリケーションとを備えている。
ナビゲーションアプリケーション１１１は、自動車の現在位置を算出したり、目的地までのルートを設定し案内する処理などを行う。
また、ＨＦＴコントロールアプリケーション１１２は、車載装置１の入力装置１０１や表示装置１０２や音声入出力装置１０３を用いた、スマートフォン２の移動電話アプリケーション２１１のユーザインタフェースを提供するアプリケーションであり、スマートフォン２の移動電話アプリケーション２１１と協調動作して、車載装置１の音声入出力装置１０３を通話音声の入出力に用いた移動電話機能であるハンズフリー通話機能をユーザに提供する。
【００２５】
また、メールコントロールアプリケーション１１３は、車載装置１の入力装置１０１や表示装置１０２や音声入出力装置１０３を用いた、スマートフォン２のメールアプリケーション２１２のユーザインタフェースを提供するアプリケーションであり、メールを作成してスマートフォン２のメールアプリケーション２１２にメールを送信させたり、スマートフォン２のメールアプリケーション２１２にメールを受信させて受信したメールを表示装置１０２に表示したりする処理を行う。
【００２６】
なお、車載装置１は、ハードウエア的には、ＣＰＵやメモリなどを備えたコンピュータを用いて構成されるものであり、オペレーティングシステム１０５や、アプリケーションなどは、当該コンピュータが、所定のコンピュータプログラムを実行することにより実現されるものである。
【００２７】
次に、車載装置１の記憶装置１０６には、ナビゲーションアプリケーション１１１が使用するデータとして、図２ａに示す、地図データと施設データベースとが記憶されている。
ここで、地図データは、道路地図を表すものである。
また、施設データベースには、複数の施設の各々に対して設けられた施設データが含まれており、各施設データには、施設の識別子となる施設ＩＤ、施設のレストランやガソリンスタンドといった種別を表す施設種別、施設の名称を表す施設名称、施設の位置を表す施設座標、施設の電話番号を表す施設電話番号、施設の住所を表す施設住所、その他の施設の情報を表すその他施設属性が登録されている。
【００２８】
次に、スマートフォン２の記憶部２０６には、移動電話アプリケーション２１１が使用するデータとして、図２ｂに示すように、アドレス帳データ、発信履歴データ、着信履歴データが記憶されている。
アドレス帳データは、複数の個人や組織の氏名/名称や電話番号が登録されたデータである。
また、発信履歴データは、過去に移動電話アプリケーション２１１の移動電話の発信（発呼）の履歴を登録したものであり、移動電話アプリケーション２１１は、発信を行う度に発信データを作成し発信履歴データに登録する。ここで、各発信データには、発信を行った日時を表す発信日時、発信先の電話番号を表す発信先、発信後に通話を行った時間を表す通話時間を含める。
【００２９】
また、着信履歴データは、過去に移動電話アプリケーション２１１への移動電話の着信（着呼）の履歴を登録したものであり、移動電話アプリケーション２１１は、着信が発生する度に着信データを作成し着信履歴データに登録する。ここで、各着信データには、着信した日時を表す着信日時、着信の発信元の電話番号を表す発信元、着信後に通話を行った時間を表す通話時間を含める。
【００３０】
さて、このような構成において、車載装置１のナビゲーションアプリケーション１１１は、記憶装置１０６に記憶された地図データと、周辺装置１０７として備えたＧＰＳ受信機やセンサを用いて現在位置や現在進行方向の算出を行う。また、ナビゲーションアプリケーション１１１は、ユーザから設定された目的地までのルートを探索し、誘導経路として設定する処理を行う。
【００３１】
ここで、ナビゲーションアプリケーション１１１は、施設データベースに施設データが含まれる施設のうちからユーザによって選択された施設を目的地として設定する処理も行うことができる。すなわち、たとえば、ナビゲーションアプリケーション１１１は、施設種別や施設名称や施設電話番号などについての、施設の検索条件をユーザから受け付けて検索条件にマッチする施設の施設データを施設データベースから検索し、検索した施設データの施設名称の一覧を表示装置１０２に表示し、一覧中からユーザによって選択された施設名称の施設データの施設座標を目的地に設定する処理を行う。
【００３２】
また、ナビゲーションアプリケーション１１１は、地図データが表す地図上に、地図上の下部中央に配置した現在位置や現在の進行方向を表す現在地マークや目的地までのルートやユーザ操作受け付け用のボタンオブジェクトを表したナビゲーション画面を生成し、ディスプレイ２０２に表示するナビゲーション画面表示処理を行う。
【００３３】
ここで、図３に、このようにしてナビゲーションアプリケーション１１１がナビゲーション画面表示処理で生成表示するナビゲーション画面の例を示す。
図示するように、ナビゲーション画面３００は、地図３０１上に、現在地マーク３０２や目的地までの誘導経路３０３などを表したものとなっている。
また、車載装置１のナビゲーションアプリケーション１１１は、目的地、誘導経路が設定されると、図４に示す目的地情報転送処理を行う。
図示するように、この処理において、ナビゲーションアプリケーション１１１は、まず、スマートフォン２が車載装置１に接続されているかどうかを調べ（ステップ４０２）、接続されていない場合には、そのまま目的地情報転送処理を終了する。
一方、スマートフォン２が車載装置１に接続されている場合には（ステップ４０２）、さらに、目的地が施設データが施設データベースに登録されている施設であるかどうかを調べる（ステップ４０４）。ここでは、たとえば、目的地が施設データベースに施設データが含まれる施設のうちからユーザによって選択されたものである場合に、目的地が施設データが施設データベースに登録されている施設であるとする。但し、さらに、目的地に一致する施設座標が登録されている施設データが施設データベースに存在する場合に、目的地が施設データが施設データベースに登録されている施設であるとするようにしてもよい。
【００３４】
そして、目的地が施設データが施設データベースに登録されている施設でなければ（ステップ４０４）、目的地情報転送処理を終了する。
一方、目的地が施設データが施設データベースに登録されている施設であれば（ステップ４０４）、現在位置の目的地への到着の発生と（ステップ４０６）、目的地近傍地点での自動車の駐車の発生と（ステップ４０８）とを監視する。ここで、目的地近傍地点は、目的地までの距離が数百ｍ以内の地点とする。
【００３５】
そして、現在位置の目的地への到着と（ステップ４０６）、目的地近傍地点での自動車の駐車と（ステップ４０８）とのいずれかが発生したならば、ＨＦＴコントロールアプリケーション１１２を介して、スマートフォン２の移動電話アプリケーション２１１に、目的地となっている施設の施設データに施設電話番号として登録されている電話番号への発信を行わせる（ステップ４１０）。そして、スマートフォン２の移動電話アプリケーション２１１が発信を終了した直後のタイミングで、ＨＦＴコントロールアプリケーション１１２を介して、スマートフォン２の移動電話アプリケーション２１１に通信の切断を行わせ（ステップ４１２）、目的地情報転送処理を終了する。
【００３６】
ここで、スマートフォン２の移動電話アプリケーション２１１に通信の切断を行わせるタイミングは、ステップ４１０で行わせた発信が発信先に着信する以前のタイミング、すなわち、発信先で呼び出し音が鳴動する以前に発信がキャンセルされて通信が切断するタイミングとする。すなわち、たとえば、目的地情報転送処理において、移動電話アプリケーション２１１に発信を指示してから0.8秒後に移動電話アプリケーション２１１に通信の切断を指示するようにする。
【００３７】
以上、車載装置１のナビゲーションアプリケーション１１１が行う目的地情報転送処理について説明した。
このような目的地情報転送処理によれば、目的地に到着するか、目的地近傍地点で駐車したときに、スマートフォン２は、目的地となっている施設の電話番号に、当該施設に着信が発生しない形態で発信する。したがって、この時点において、スマートフォン２の移動電話アプリケーション２１１によって、目的地となっている施設の電話番号を発信先とする発信データが発信履歴データに登録され、結果的に、目的地となっている施設の電話番号がスマートフォンに転送され保持されたこととなる。
【００３８】
よって、目的地または目的地近傍で自動車からスマートフォン２を携帯して降車したユーザは、自動車外で発信履歴データが表す発信履歴の一覧を表示することにより、目的地となっている施設の電話番号を知り、当該電話番号に電話したり、当該電話番号をキーとして目的地となっている施設のＷｅｂページをＷｅｂブラウザアプリケーションで検索して表示したり、当該電話番号をキーとしてＷｅｂブラウザアプリケーションやマップアプリケーションやナビゲーションアプリケーションで当該施設周辺の地図や当該施設までのルートを取得して利用することができるようになる。
【００３９】
また、発信履歴を保持しユーザが発信履歴を参照可能とする機能は、スマートフォンであれば一般的に備えている機能であるので、以上のような目的地となっている施設の電話番号のスマートフォンへの転送は、一般的なスマートフォンについて適用することができる。
【００４０】
ここで、より具体的には、スマートフォン２の移動電話アプリケーション２１１は、ユーザから発信履歴の表示を指示されると、たとえば、図５に示すように、発信履歴データに含まれる発信データに登録されている発信日時や発信先を表した発信履歴情報５０１を、発信日時の新しい順に配置した一覧を表示する。したがって、ユーザは、自動車から降車した日時と、各発信履歴情報５０１の発信日時との比較などより、目的地である施設の電話番号を識別して利用することができるようになる。
【００４１】
また、スマートフォン２の移動電話アプリケーション２１１は、この一覧上でのユーザ操作に応じて、ユーザによって選択された電話番号に発信したり、その電話番号をアドレス帳データに登録したり、その電話番号をコピーするなどの処理を行う。
以上、本発明の実施形態について説明した。
ところで、以上の実施形態の目的地情報転送処理では、ステップ４１０とステップ４１２で、目的地である施設の電話番号への発信と通信の切断をスマートフォン２に行わせたが、これは、スマートフォン２が、航空機モードなどと呼ばれる、移動通信の電波発信を停止する電波停止モードを備え、当該電波停止モードにおいて、スマートフォン２の移動電話アプリケーション２１１が発信動作を行って当該発信についての発信データを発信履歴データに登録できるものである場合には、ステップ４１０とステップ４１２に代えて、スマートフォン２を電波停止モードに設定し、スマートフォン２の移動電話アプリケーション２１１に目的地である施設の電話番号への発信を行わせ、その後、スマートフォン２の電波停止モードを解除する処理を行うようにしてもよい。なお、電波停止モードにおいて、スマートフォン２の移動電話アプリケーション２１１が発信動作を行った場合、当該発信は失敗することとなり、発信先に着信が発生することはない。
【００４２】
または、目的地情報転送処理において、ステップ４１０とステップ４１２に代えて、メールコントロールアプリケーション１１３を介して、目的地である施設の施設データの施設名称や施設電話番号や施設住所などを記述したメールを、スマートフォン２のメールアプリケーション２１２に自身のメールアドレス宛に送信させたる処理を行うようにしてもよい。または、目的地情報転送処理において、ステップ４１０とステップ４１２に代えて、メールコントロールアプリケーション１１３を介して、スマートフォン２のメールアプリケーション２１２に、目的地である施設の施設データの施設名称や施設電話番号や施設住所などを記述したメールを、スマートフォン２のメールの一時保存領域に保存させる処理を行うようにしてもよい。ここで、スマートフォン２のメールアプリケーション２１２にメールの一時保存領域へメールを保存させる処理は、たとえば、メールアプリケーション２１２に、メールアプリケーション２１２が標準的に備えているメールの下書きの一時保存用の領域であるドラフト(下書き）フォルダに、目的地である施設の施設データの施設名称や施設電話番号や施設住所などを記述したメールを下書きとして保存させることにより行う。
【００４３】
このようにしても、目的地または目的地近傍で自動車からスマートフォン２を携帯して降車したユーザは、メールアプリケーション２１２において受信される自身のメールアドレス宛に送信したメールの内容や、一時保存領域に保存されているメールの内容より、目的地となっている施設の名称や電話番号や住所を知得し、これを利用することができる。
ここで、以上では、スマートフォン２のメールクライアント機能を用いて、スマートフォン２自身宛にメールを送信したりスマートフォン２にメールを保存したが、これは、メールクライアント機能に代えてスマートフォン２が備える任意のメッセージサービスのクライアント機能を用いて、スマートフォン２自身宛にメールを送信したりスマートフォン２にメールを保存するようにしてもよい。
【００４４】
また、以上の実施形態は、スマートフォン２に代えて、移動電話機能やメール／メッセージ機能を備えた任意の携帯型装置、たとえば、移動電話機やタブレット装置を用いる場合にも同様に適用することができる。
【符号の説明】
【００４５】
１…車載装置、２…スマートフォン、１０１…入力装置、１０２…表示装置、１０３…音声入出力装置、１０４…外部インタフェース、１０５…オペレーティングシステム、１０６…記憶装置、１０７…周辺装置、１１１…ナビゲーションアプリケーション、１１２…ＨＦＴコントロールアプリケーション、１１３…メールコントロールアプリケーション、２０１…操作部、２０２…ディスプレイ、２０３…音声入出力部、２０４…無線インタフェース、２０５…モバイルオペレーティングシステム、２０６…記憶部、２０７…移動通信装置、２０８…周辺デバイス、２１１…移動電話アプリケーション、２１２…メールアプリケーション２１２。
【図１】
2015125005.tif 000003
【図２】
2015125005.tif 000004
【図３】
2015125005.tif 000005
【図４】
2015125005.tif 000006
【図５】
2015125005.tif 000007